(57)【要約】      （修正有）【課題】検出精度を高めることができる光検査装置及び保護ケースを提供する。【解決手段】検査領域Ｒに被検査物Ｓを搬送する搬送部３と、検査領域において、被検査物に含まれる異物Ｆに蛍光を発生させるための励起光を照射する励起光照射部４と、検査領域において、異物から発せられる蛍光を検出する検出部５と、搬送部によって搬送される被検査物が通過可能に搬送部の上方に配置される台座部２１と、台座部の上部に配置され、少なくとも蛍光検出部を収容する保護ケース２３と、上方から見た平面視において台座部を外側から覆う保護部と、を備える。【選択図】図１
2019039695.tif 000002
【特許請求の範囲】
【請求項１】
検査領域に被検査物を搬送する搬送部と、
前記検査領域において、前記被検査物に含まれる異物に蛍光を発生させるための励起光を照射する励起光照射部と、
前記検査領域において、前記異物から発せられる蛍光を検出する蛍光検出部と、
前記搬送部によって搬送される前記被検査物が通過可能に前記搬送部の上方に配置される台座部と、
前記台座部の上部に配置され、少なくとも前記蛍光検出部を収容する保護ケースと、
上方から見た平面視において前記台座部を外側から覆う保護部と、
を備える、光検査装置。
【請求項２】
前記保護部は、上方から見た平面視において前記台座部の外側に配置され、前記保護部の下端は、前記台座部の上端よりも低い位置に位置している、請求項１記載の光検査装置。
【請求項３】
前記保護部は、前記台座部を囲むように枠状に配置されている、請求項１又は２記載の光検査装置。
【請求項４】
前記保護部は、前記保護ケースに形成されている、請求項１〜３の何れか一項記載の光検査装置。
【請求項５】
前記保護ケースは、開口部を有する箱状の本体部と、前記開口部の周囲から張り出した鍔部と、を有しており、
前記保護部は、前記鍔部に形成されている、請求項１〜４の何れか一項記載の光検査装置。
【請求項６】
前記鍔部の上面は、張り出し方向に向かって、下方に傾斜している、請求項５記載の光検査装置。
【請求項７】
前記台座部は、前記保護ケースの前記開口部よりも面積が小さな窓部を有し、
前記蛍光検出部は、前記窓部を介して、前記異物から発せられる蛍光を検出する、請求項５又は６記載の光検査装置。
【請求項８】
前記励起光照射部は、前記保護ケースに収容され、
前記励起光照射部は、前記窓部を介して前記検査領域に励起光を照射する、請求項７記載の光検査装置。
【請求項９】
前記台座部と前記保護ケースとの間には、弾性を有するシール部材が設けられている、請求項１〜８の何れか一項記載の光検査装置。
【請求項１０】
前記保護ケースと前記台座部とを固定する締結部を更に備え、前記締結部は、前記締結部を挿通可能なカラー部材を介して、前記シール部材を貫通している、請求項９記載の光検査装置。
【請求項１１】
前記締結部は、前記保護ケースの上方から締結作業及び締結解除作業が可能に設けられている、請求項１０記載の光検査装置。
【請求項１２】
前記台座部は、前記搬送部に対して離間する方向に移動可能に設けられている、請求項１〜１１の何れか一項記載の光検査装置。
【請求項１３】
検査領域に被検査物を搬送する搬送部と、前記検査領域において、異物に蛍光を発生させるための励起光を照射する励起光照射部と、前記検査領域において、前記異物から発せられる蛍光を検出する蛍光検出部と、前記搬送部によって搬送される前記被検査物が通過可能に前記搬送部の上方に配置される台座部と、を備える光検査装置の前記台座部の上部に配置される、少なくとも前記蛍光検出部を収容する保護ケースであって、
開口部を有する箱状の本体部を備え、
前記本体部には、前記保護ケースを前記台座部に配置した時に、上方から見た平面視において前記台座部を外側から覆う保護部が形成されている、保護ケース。
【請求項１４】
前記本体部は、前記開口部の周囲から張り出した鍔部を更に有し、
前記保護部は、前記鍔部に沿って配置されている、請求項１３記載の保護ケース。
【請求項１５】
前記本体部における前記保護部の内側には、前記保護ケースを前記台座部に配置した時に前記台座部に接触する、弾性を有するシール部材が配置されている、請求項１３又は１４記載の保護ケース。
【発明の詳細な説明】
【技術分野】
【０００１】
本発明は、被検査物に異物が含まれているか否かを検査するための光検査装置及び保護ケースに関する。
【背景技術】
【０００２】
魚等の切り身に寄生虫及び骨等が含まれているか否かを検査するために、紫外線等の励起光を切り身に照射し、骨や寄生虫等から発生した蛍光を検出する光検査装置が知られている（例えば、特許文献１参照）。
【先行技術文献】
【特許文献】
【０００３】
【特許文献１】特開平１−３１１２５３号公報
【発明の概要】
【発明が解決しようとする課題】
【０００４】
上述したような光検査装置では、寄生虫等から発生した蛍光を検出する光検出部が配置された空間に光が入り込むと、微弱な蛍光を識別することができず、寄生虫等の検出精度が低下するおそれがある。
【０００５】
そこで、本発明は、検出精度を高めることができる光検査装置及び保護ケースを提供することを目的とする。
【課題を解決するための手段】
【０００６】
本発明の光検査装置は、検査領域に被検査物を搬送する搬送部と、検査領域において、被検査物に含まれる異物に蛍光を発生させるための励起光を照射する励起光照射部と、検査領域において、異物から発せられる蛍光を検出する蛍光検出部と、搬送部によって搬送される被検査物が通過可能に搬送部の上方に配置される台座部と、台座部の上部に配置され、少なくとも蛍光検出部を収容する保護ケースと、上方から見た平面視において台座部を外側から覆う保護部と、を備える。
【０００７】
この構成の光検査装置では、鉛直方向上方から見た平面視において台座部を外側から覆う保護部を備える。これにより、保護ケースと台座部との接合部が保護部によって外側から覆われるので、保護ケースの外部から保護ケースの内部に光が侵入することを防止できる。これにより、微弱な蛍光も識別できるようになり、検出精度を高めることができる。
【０００８】
本発明の光検査装置では、上方から見た平面視において台座部の外側に配置され、保護部の下端は、台座部の上端よりも低い位置に位置していてもよい。この構成の光検査装置では、保護ケースの外部から保護ケースの内部に光が直線的に入ることを防止できるので、保護ケースの内部の遮光性を更に高めることができる。
【０００９】
本発明の光検査装置では、保護部は、台座部を囲むように枠状に配置されていてもよい。この構成の光検査装置では、保護ケースと台座部との接合部の全てを覆うように保護部が配置されるので、保護ケース内部の遮光性を更に高めることができる。
【００１０】
本発明の光検査装置では、保護部は、保護ケースに形成されてもよい。この構成の光検査装置では、保護ケースと台座部との接合時に、保護部となる保護部材を所定の位置に別途配置するような手間を省略できるので、接合時の作業性が向上する。
【００１１】
本発明の光検査装置では、保護ケースは、開口部を有する箱状の本体部と、開口部の周囲から張り出した鍔部と、を有しており、保護部は、鍔部に形成されてもよい。この構成の光検査装置では、鍔部の張り出した長さの分、保護ケースの外部と保護ケースの内部との間の光の侵入経路を長くすることができる。これにより、保護ケース内部の遮光性を更に高めることができる。また、保護ケースと台座部との間に配置されるシール部材を配置する場合には、鍔部の張り出した長さの分、シール部材の幅（張り出し方向における長さ）を大きくすることができるので、保護ケース内部の密閉性を更に高めることができる。
【００１２】
本発明の光検査装置では、鍔部の上面は、張り出し方向に向かって、下方に傾斜していてもよい。これにより、保護ケースに水がかかった場合でも、鍔部に水が滞留することが抑制され、部材の劣化が抑制できる。
【００１３】
本発明の光検査装置では、台座部は、保護ケースの開口部よりも面積が小さな窓部を有し、蛍光検出部は、窓部を介して、異物から発せられる蛍光を検出してもよい。この構成の光検査装置では、接合部以外からの光の侵入を抑制できるので、保護ケース内部の遮光性を更に高めることができる。
【００１４】
本発明の光検査装置では、励起光照射部は、保護ケースに収容され、励起光照射部は、窓部を介して検査領域に励起光を照射してもよい。この構成の光検査装置では、蛍光検出部及び励起光照射部が収容された一つのユニットとして扱うことができるので作業性に優れる。また、励起光照射部を保護ケースに収容することで、励起光照射部を粉塵又は水等からも保護できる。
【００１５】
本発明の光検査装置では、台座部と保護ケースとの間に、弾性を有するシール部材が設けられていてもよい。この構成の光検査装置では、保護ケースと台座部との接合部から光が侵入することをより確実に抑制できる。また、上記接合部から水及び粉塵が侵入することを抑制できるので、保護ケース内部の密閉性を高めることができる。
【００１６】
本発明の光検査装置は、保護ケースと台座部とを固定する締結部を更に備え、締結部は、締結部を挿通可能なカラー部材を介して、シール部材を貫通していてもよい。この構成の光検査装置では、シール部材を所望の厚みを維持した状態で保護ケースと台座部との間に固定できる。これにより、接合時のシール部材のつぶれ具合が均一になるので隙間ができ難くなる。また、締結部は、カラー部材を介してシール部材に貫通されるので、貫通時のシール部材の損傷を防止できる。これにより、シール部の損傷箇所から光が保護ケース内部に侵入することを抑制できる。この構成の光検査装置では、作業者は、内部機材のメンテナンス又は部品交換等が容易に可能となる。
【００１７】
本発明の光検査装置では、締結部は、保護ケースの上方から締結作業及び締結解除作業が可能に設けられてもよい。この構成の光検査装置では、作業者は、内部機材のメンテナンス又は部品交換等が容易に可能となる。
【００１８】
本発明の光検査装置では、台座部は、搬送部に対して離間する方向に移動可能に設けられていてもよい。これにより、搬送部の上方から台座部と台座部に一体的に接合された保護ケースとを移動させることができるので、搬送部の清掃を容易に行うことができる。
【００１９】
本発明の保護ケースは、検査領域に被検査物を搬送する搬送部と、検査領域において、異物に蛍光を発生させるための励起光を照射する励起光照射部と、検査領域において、異物から発せられる蛍光を検出する蛍光検出部と、搬送部によって搬送される被検査物が通過可能に搬送部の上方に配置される台座部と、を備える光検査装置の台座部の上部に配置される、少なくとも蛍光検出部を収容する保護ケースであって、開口部を有する箱状の本体部を備え、本体部には、保護ケースを台座部に配置した時に、上方から見た平面視において台座部を外側から覆う保護部が形成されている。
【００２０】
この構成の保護ケースでは、上方から見た平面視において台座部を外側から覆う保護部を備える。これにより、保護ケースと台座部との接合部が保護部によって外側から覆われるので、保護ケースの外部から保護ケースの内部に光が侵入することを防止できる。これにより、微弱な蛍光も識別できるようになり、検出精度を高めることができる。
【００２１】
本発明の保護ケースは、本体部は、開口部の周囲から張り出した鍔部を更に有し、保護部は、鍔部に沿って配置されていてもよい。これにより、鍔部の張り出した長さの分、保護ケースの外部と保護ケースの内部との間の光の侵入経路を長くすることができる。これにより、保護ケース内部の遮光性を更に高めることができる。また、保護ケースと台座部との間に配置されるシール部材を配置する場合には、鍔部の張り出した長さの分、シール部材の幅（張り出し方向における長さ）を大きくすることができるので、保護ケース内部の密閉性を更に高めることができる。
【００２２】
本発明の保護ケースは、本体部における保護部の内側には、保護ケースを台座部に配置した時に台座部に接触する、弾性を有するシール部材が配置されていてもよい。保護ケースと台座部との接合部から光が侵入することをより確実に抑制できる。また、上記接合部から水及び粉塵が侵入することを抑制できるので、保護ケース内部の密閉性を高めることができる。
【発明の効果】
【００２３】
本発明によれば、検出精度を高めることができる。
【図面の簡単な説明】
【００２４】
【図１】一実施形態の光検査装置の構成図である。
【図２】図１の光検査装置の筐体を、搬入口側から見た側面図である。
【図３】搬送部上に筐体が配置された状態の光検査装置全体を示した斜視図である。
【図４】搬送部から筐体が離間された状態の光検査装置全体を示した斜視図である。
【図５】図１の接合部を拡大して示した断面図である。
【図６】図１の保護ケースを下方から見た下面図である。
【図７】変形例に係る接合部を拡大して示した断面図である。
【発明を実施するための形態】
【００２５】
以下、添付図面を参照して、本発明の好適な実施形態について詳細に説明する。なお、図面の説明において同一又は相当要素には同一符号を付し、重複する説明は省略する。なお、本明細書では、説明の便宜のために、図１〜図６に示されるように、搬送部３の搬送方向Ａに沿う方向をＸ軸、搬送部３の幅方向（図１の紙面奥行方向）をＹ軸、搬送部３の搬送面３１ａに直交する方向をＺ軸として設定した。Ｘ軸、Ｙ軸、及びＺ軸は互いに直交する。
【００２６】
図１に示されるように、光検査装置１は、筐体２と、搬送部３と、励起光照射部４と、検出部（蛍光検出部）５と、処理部６と、表示部７と、脚部９（図３参照）と、を備える。光検査装置１は、被検査物Ｓに異物Ｆが含まれているか否かを検査するための装置である。被検査物Ｓは、主に、サバ、アジ、イカ、イワシ、サケ、サンマ、ホッケ等の魚介類の切り身であり、異物Ｆは、主に、アニサキス、ブリ線虫等の寄生虫である。
【００２７】
図１及び図２に示されるように、筐体２は、検査領域Ｒを覆い、外部領域の光（屋内の人工灯や自然光等）から検査領域Ｒを遮蔽する。なお、検査領域Ｒは、筐体２の内部領域Ｌのうち、検出部５が蛍光を検出する三次元の領域である。筐体２は、台座部２１と、保護ケース２３と、を有する。
【００２８】
台座部２１は、搬送部３によって搬送される被検査物Ｓが通過可能に搬送部３の上方に配置されている。台座部２１には、内部領域Ｌに被検査物Ｓを搬入するための搬入口２１ａ、及び検査領域Ｒから被検査物Ｓを搬出するための搬出口２１ｂが形成されている。なお、筐体２内には、台座部２１の搬入口２１ａ及び搬出口２１ｂ等を介して外部領域の光が進入し得るが、検査領域Ｒは、台座部２１及び保護ケース２３によって外部領域の光から十分に遮蔽されている。つまり、筐体２は、後述する蛍光の検出が阻害されないように外部領域の光から内部領域Ｌを遮蔽するものであればよく、外部領域の光から検査領域Ｒを完全に遮蔽するものである必要はない。
【００２９】
保護ケース２３は、台座部２１の上部に接合（配置）され、励起光照射部４及び検出部５を収容する。保護ケース２３は、ステンレススチール等の金属、又はプラスチック樹脂等の材料から形成されている。保護ケース２３は、開口部２４ａを有する箱状の本体部２４と、開口部２４ａの周囲から張り出した鍔部２５と、を有する。台座部２１と保護ケース２３とは、例えば、鍔部２５に形成された挿通孔にボルトＢ（図３参照）が挿通され、その挿通されたボルト（締結部）Ｂが台座部２１に形成されたネジ孔に螺合されることにより接合される。ボルトＢは、保護ケース２３の上方から締結作業又は締結解除作業が可能に設けられている。また、ボルトＢは、ボルトＢを挿通可能なカラー部材２７Ａを介してシール部材２７を貫通している（図５参照）。
【００３０】
台座部２１は、保護ケース２３の開口部２４ａよりも面積が小さな窓部２１ｃを有する。窓部２１ｃには、ＰＭＭＡ（ポリメタクリル酸メチル）樹脂、プラスチック樹脂、又はガラス等からなる光透過性の透明部材２１ｄが嵌め込まれている。これにより、搬送部３から粉塵又は水等が侵入することが防止される。窓部２１ｃは、窓部２１ｃを介して異物Ｆから発せられる蛍光を検出部５が検出することが阻害されないようなサイズ、かつ検査領域Ｒに励起光照射部４の励起光が照射可能なサイズに形成されている。なお、台座部２１と保護ケース２３との接合部Ｊについては、後段にて詳細に説明する。
【００３１】
搬送部３は、検査領域Ｒにおいて、被検査物Ｓを搬送する。搬送部３は、無端状のコンベアベルト３１と、支持部３３と、を有する。
【００３２】
コンベアベルト３１は、ＸＹ平面（互いに直交するＸ軸及びＹ軸を含む平面であって、例えば、水平面）に平行な搬送面３１ａを有する。コンベアベルト３１は、Ｘ軸に平行な搬送方向Ａに沿って搬入口２１ａから搬出口２１ｂまで被検査物Ｓを搬送する。コンベアベルト３１の表面（搬送面３１ａをなす表面）には、後述する励起光の反射を抑制する反射防止処理が施されている。反射防止処理は、例えば、励起光に対して光吸収性を有する染料を用いた色付けである。そのようなコンベアベルト３１の一例としては、カーボンを含有させた黒色ベルトが挙げられる。支持部３３は、コンベアベルト３１を着脱自在に支持する。支持部３３は、脚部９によって支持される。
【００３３】
図３及び図４に示されるように、筐体２は、搬送部３に対して離間する方向に移動可能に設けられている。具体的には、台座部２１が、搬送方向に延在する回転軸２８を介して搬送部３の支持部３３に支持され、台座部２１及び保護ケース２３が、搬送部３から離間する方向に移動可能に設けられる。台座部２１が、搬送部３から離間する方向に移動した場合、台座部２１に接合される保護ケース２３も一体的に搬送部３から離間する方向に移動する。搬送部３上に筐体２が配置された状態にあるとき、台座部２１と支持部３３とは、固定部２９によって互いに固定される。
【００３４】
脚部９は、筐体２及び搬送部３を支持する。
【００３５】
図１に示されるように、励起光照射部４は、被検査物Ｓに付着した異物Ｆに蛍光を発生させるための励起光を検査領域Ｒに照射する。具体的には、励起光照射部４は、検査領域Ｒのうち、搬送された被検査物Ｓが通過する領域を含む領域内に励起光を照射する。励起光照射部４は、保護ケース２３の内壁面に取り付けられており、搬送面３１ａの一方の側（Ｘ軸及びＹ軸に直交するＺ軸に平行な方向における搬送面３１ａの一方の側であって、例えば、鉛直方向における搬送面３１ａの上側）から被検査物Ｓに励起光を照射する。
【００３６】
励起光照射部４は、光源４１と、集光部４２と、第一光学フィルタ４３と、を有している。光源４１は、Ｙ軸に平行な方向に沿って配列された複数の発光素子（例えば、発光ダイオード）であって、励起光を出射する。集光部４２は、光学素子（例えば、シリンドリカルレンズ）であって、光源４１から出射された励起光を、検査領域Ｒのうち搬送された被検査物Ｓが通過する領域を含む範囲に集光する。ここでは、集光部４２は、光源４１から出射された発散光を平行光に集光する。第一光学フィルタ４３は、励起光を透過させる一方で、励起光の波長帯よりも長波長側の光を減衰させる。例えば、励起光が紫外域の波長帯を有する場合には、第一光学フィルタ４３は、可視域の波長帯を有する光を減衰させる。
【００３７】
検出部５は、予め設定された検査領域Ｒ内で発生した蛍光を検出する。検出部５は、筐体２の内壁面に取り付けられており、搬送面３１ａの一方の側（Ｘ軸及びＹ軸に直交するＺ軸に平行な方向における搬送面３１ａの一方の側であって、例えば、鉛直方向における搬送面３１ａの上側）から蛍光を検出する。
【００３８】
検出部５は、第二光学フィルタ５１と、複数の光検出素子５２と、を有している。第二光学フィルタ５１は、異物Ｆが発生させた蛍光を透過させる一方で、蛍光の波長帯よりも短波長側の光を減衰させる。例えば、蛍光が可視域の波長帯を有する場合には、第二光学フィルタ５１は、紫外域の波長帯を有する光を減衰させる。複数の光検出素子５２は、Ｙ軸に平行な方向（搬送面３１ａに垂直な方向から見た場合に、搬送方向Ａと交差する交差方向）に沿って配列されている。各光検出素子５２は、受光素子（例えば、フォトダイオード）であって、第二光学フィルタ５１を透過した蛍光を検出する。
【００３９】
励起光照射部４が被検査物Ｓに照射する励起光は、異物Ｆに蛍光を発生させるための光であって、例えば、紫外域の波長帯を有する光である。励起光の照射によって異物Ｆが発生する蛍光は、励起光の波長とは異なる波長を有する光であって、例えば、可視域の波長帯を有する光である。なお、励起光の中心波長は、蛍光の中心波長に対してずれていればよい。つまり、励起光及び蛍光については、少なくとも互いの中心波長（ピーク波長）がずれていれば、互いの波長帯が完全にずれている必要はない。ただし、励起光の波長帯と蛍光の波長帯とは、完全にずれていることが好ましい。
【００４０】
処理部６は、検出部５から出力された異物Ｆが発生させた蛍光の検出信号に基づいて異物Ｆの画像を生成する。表示部７は、処理部６によって生成された画像を表示する。
【００４１】
次に、台座部２１と保護ケース２３との接合部Ｊについて、主に図５及び図６を用いて詳細に説明する。図５及び図６に示されるように、台座部２１と保護ケース２３とは、弾性を有するシール部材２７を介して接合されている。接合される前の状態において、シール部材２７は、例えば、シリコンゴム（ケイ素樹脂）等の弾性の材料から形成されており、そのＺ軸方向厚みＴ１は、２ｍｍ〜５ｍｍ程度、ＸＹ平面に沿う幅は１０ｍｍ〜５０ｍｍ程度である。シール部材２７は、鍔部２５と台座部２１との間に鍔部２５の延在方向に沿って、枠状に配置されている。シール部材２７は、カラー部材２７Ａを介してボルトＢが上下方向に貫通されている。
【００４２】
Ｚ軸方向上方から見た平面視においてシール部材２７の外側には保護部２６が配置されている。また、保護部２６は、上方から見た平面視において台座部２１の外側面２１ｆを外側から覆う。保護部２６は、保護ケース２３の一部分として一体的に形成されている。更に詳細には、保護部２６は、鍔部２５に、Ｚ軸方向下方に突出するように形成されている。保護部２６は、枠状のシール部材２７及び台座部２１の外側面２１ｆを囲むように枠状に形成されている。また、保護部２６は、Ｚ軸方向上方から見た平面視において台座部２１の外側面２１ｆよりもＸＹ平面において外側に配置されており、保護部２６の下端２６ａは、台座部２１の上端２１ｅよりも低い位置に位置している。なお、シール部材２７は、両面テープ等で保護部２６に接着（固定）されていてもよい。このように構成すれば、シール部材の位置を固定させると共に密着させることが可能となり、遮光性、防塵性及び防水性が更に高まる。
【００４３】
以上説明したように、本実施形態の光検査装置１では、台座部２１のＸＹ平面における外側には、台座部２１を覆うように保護部２６が配置されているので、保護ケース２３と台座部２１との接合部Ｊから保護ケース２３の内部領域Ｌに光が侵入することをより確実に防止できる。これにより、微弱な蛍光も識別できるようになり、検出精度を高めることができる。
【００４４】
また、本実施形態の光検査装置１の保護部２６は、図５に示されるように、Ｚ軸方向から見た平面視において台座部２１の外側面２１ｆよりもＸＹ平面における外側に配置されており、保護部２６の下端２６ａは、台座部２１の上端２１ｅよりもＺ軸方向において低い位置に位置している。すなわち、保護ケース２３の一部と台座部２１の一部とが鉛直方向（Ｚ軸方向）において互いにオーバラップしている。このため、接合部Ｊから保護ケース２３の内部領域Ｌに光が直線的に入ることを防止できるので、保護ケース２３の内部領域Ｌの密閉性を更に高めることができる。
【００４５】
本実施形態の光検査装置１では、図５に示されるように、台座部２１と保護ケース２３とは、弾性を有するシール部材２７を介して接合されるので、光の侵入だけでなく、水及び粉塵の侵入も抑制できる。このため、保護ケース２３の内部領域Ｌの遮光性をさらに高めると共に、防水性及び防塵性も高めることができる。更にこの構成では、仮にシール部材２７が経年変化によって劣化した場合であっても、保護部２６の存在により、保護ケース２３の内部領域Ｌへの水及び粉塵の侵入も抑制できる。
【００４６】
本実施形態の光検査装置１では、保護部２６は、保護ケース２３に一体的に形成されているので、保護ケース２３と台座部２１との接合時に、保護部２６としての保護部材を所定の位置に別途配置するような手間を省略できる。これにより、接合時の作業性が向上する。
【００４７】
本実施形態の光検査装置１の保護ケース２３は、図５に示されるように、本体部２４における開口部２４ａの周囲から張り出す鍔部２５が形成されている。これにより、鍔部２５の張り出した長さの分、保護ケース２３の外部領域と保護ケース２３の内部領域Ｌとの間の光の侵入経路を長くすることができる。これにより、保護ケース２３の内部領域Ｌの遮光性を更に高めることができる。更に、この構成では、鍔部２５の張り出した長さＬ２の分、保護ケース２３の外側領域と内部領域Ｌとの間に配置されるシール部材２７の幅Ｌ１を大きくすることができるので、保護ケース２３の内部領域Ｌの密閉性を更に高めることができる。
【００４８】
本実施形態の光検査装置１では、図６に示されるように、シール部材２７は枠状に配置され、保護部２６は枠状に配置されたシール部材２７を囲むように枠状に配置されている。これにより、保護ケース２３と台座部２１との接合部Ｊから光が侵入する経路を全て遮るようにシール部材２７が配置されるので、保護ケース２３の内部領域Ｌの密閉性を更に高めることができる。また、この構成では、光の侵入だけでなく、水及び粉塵の侵入も抑制できる。このため、保護ケース２３の内部領域Ｌの防水性及び防塵性も更に高めることができる。
【００４９】
本実施形態の光検査装置１は、図３及び図５に示されるように、保護ケース２３と台座部２１とを固定するボルトＢの締結又は締結解除作業が、保護ケース２３の上方から可能に設けられているので、作業者は、内部機材のメンテナンス又は部品交換等が容易に可能となる。また、そのボルトＢは、ボルトＢを挿通可能なカラー部材２７Ａを介してシール部材２７を貫通しているので、シール部材２７を所望の位置に確実に固定できる。また、ボルトＢは、カラー部材２７Ａを介してシール部材２７に貫通されるので、貫通時のシール部材２７の損傷を防止できる。これにより、シール部材２７の損傷箇所から光が保護ケース２３の内部領域Ｌに侵入することを抑制できる。
【００５０】
本実施形態の光検査装置１では、励起光照射部４は保護ケース２３に収容されているので、保護ケース２３を、検出部５及び励起光照射部４が収容された一つのユニットとして扱うことができ作業性に優れる。また、励起光照射部４を保護ケース２３に収容することで、励起光照射部４を粉塵又は水等からも保護できる。
【００５１】
本実施形態の光検査装置１では、台座部２１に設けられた窓部２１ｃの面積が、開口部２４ａの面積よりも小さいので、接合部Ｊ以外からの光の侵入を抑制できる。これにより、保護ケース２３の内部領域Ｌの密閉性を更に高めることができる。
【００５２】
本実施形態の光検査装置１では、図４に示されるように、台座部２１は、搬送部３に対して離間する方向に移動可能に設けられている。これにより、搬送部３の上方から台座部２１と台座部２１に一体的に接合された保護ケース２３とを移動させることができるので、搬送部３の清掃を容易に行うことができる。また、搬送部３を清掃する際の噴流水等から、台座部２１（更には、収容される励起光照射部４及び検出部（蛍光検出部）５）を離間させることができる。
【００５３】
以上、本発明の一実施形態について説明したが、本発明は、上述した実施形態に限定されるものではない。
【００５４】
上記実施形態の光検査装置１では、検査が可能な状態、すなわち、筐体２が搬送部３の上方に配置された状態において、鍔部２５の上面２６ｂが、張り出し方向に向かって水平方向に延びている例を挙げて説明したが、鍔部２５の上面２６ｃは、張り出し方向に向かって下方に傾斜していてもよい。この構成によれば、鍔部２５の上面２６ｃに水が溜まることを抑制でき、部材の劣化を抑制することができる。
【００５５】
上記実施形態又は変形例の光検査装置１では、保護ケース２３には開口部２４ａの周囲から張り出した鍔部２５が形成されている例を挙げて説明したが、鍔部２５が形成されていない保護ケース２３を採用してもよい。例えば、図７に示されるように、保護部２６Ｅは、保護ケース２３の本体部２４の下端に、Ｚ軸方向下方に突出するように形成されてもよい。この場合も、Ｚ軸方向から見てシール部材２７の外側に保護部２６Ｅを配置すれば、上記実施形態と同様の効果を得ることができる。また、当該変形例に係る光検査装置１の場合も、上記実施形態と同様に、保護部２６の下端２６ａを、台座部２１の上端２１ｅよりも低い位置に位置させることは必須ではない。しかしながら、保護部２６の下端２６ａを、台座部２１の上端２１ｅよりも低い位置に位置させることで、保護ケース２３の内部領域Ｌの遮光性を更に高めることができる。
【００５６】
上記実施形態又は変形例の光検査装置１では、保護部２６，２６Ｅは、保護ケース２３に一体的に形成されている例を挙げて説明したが、保護ケース２３と台座部２１との接合時に、別部材としての保護部を所定の位置に配置する構成であってもよい。例えば、保護部は、台座部２１に加えて、保護ケース２３の端部を覆うように形成されていてもよい。具体的には、Ｚ軸方向上方から見た平面視において、台座部２１及び保護ケース２３の接合部を含むように台座部２１及び保護ケース２３の外側面を覆う枠状部材を保護部として有する構成であってもよい。この場合であっても、上記実施形態又は変形例に係る光検査装置１と同様の効果を得ることができる。ただし、保護部２６，２６Ｅは、保護ケース２３に一体的に形成される方が、保護部を別途配置する手間を省略できるので、接合時の作業性が向上する。また、保護部２６，２６Ｅは、保護ケース２３に一体的に形成される方が、その分、隙間（接合部）が少なくなるため、防塵や防水の点でも好ましい。
【００５７】
上記実施形態又は変形例の光検査装置１では、台座部と保護ケースとの間には、弾性を有するシール部材２７が設けられている例を挙げて説明したが、シール部材２７を設けなくてもよい。この場合であっても、保護ケース２３の内部領域Ｌの遮光性を高めることができる。なお、シール部材２７を設けない場合には、保護部２６の下端２６ａと、台座部２１の上端２１ｅとのＺ軸方向における距離、すなわち保護ケース２３と台座部２１との鉛直方向（Ｚ軸方向）におけるオーバラップ距離を、上記実施形態又は変形例の光検査装置１の距離と比べて長く確保することが好ましい。すなわち、上記オーバラップ距離は、光が保護ケース２３と台座部２１との接合部Ｊから侵入しないように適宜設定される。
【００５８】
例えば、被検査物Ｓは、魚介類の切り身以外の食肉等であってもよく、異物Ｆは寄生虫以外の骨、鱗、内臓等であってもよい。また、励起光は、紫外域の波長帯を有する光に限定されず、異物Ｆに蛍光を発生させ得る波長を有する光であればよい。また、励起光照射部４は、搬送方向Ａにおける検出部５の下流側に位置していたが、搬送方向Ａにおける検出部５の上流側に位置していてもよい。また、処理部６は、生成した画像に基づいて、被検査物Ｓに異物Ｆが含まれているか否かを検査してもよい。この場合、被検査物Ｓにおける異物Ｆの有無等を（画像に対して）自動で特定することもできるし、作業者が目視により確認することもできる。
【００５９】
最後に、異物Ｆごとに、好適な励起光の波長の範囲、及びそれにより発生する蛍光の波長の範囲を例示する。
【００６０】
異物Ｆがアニサキスである場合、好適な励起光の波長の範囲は、３００〜４００ｎｍ（より好ましくは、３３０〜３５０ｎｍ）であり、それにより発生する蛍光の波長の範囲は、３８０〜５００ｎｍ（より好ましくは、４２０〜４５０ｎｍ）である。
【００６１】
異物Ｆがブリ線虫である場合、好適な励起光の波長の範囲は、３５０〜４５０ｎｍ（より好ましくは、３７０〜３９０ｎｍ）であり、それにより発生する蛍光の波長の範囲は、４２０〜５３０ｎｍ（より好ましくは、４４０〜４７０ｎｍ）である。
【００６２】
異物Ｆがサバの骨である場合、好適な励起光の波長の範囲は、３２０〜３８０ｎｍ（より好ましくは、３２０〜３４０ｎｍ）であり、それにより発生する蛍光の波長の範囲は、３８０〜４３０ｎｍ（より好ましくは、３８０〜４００ｎｍ）である。
【００６３】
異物Ｆがタイの鱗である場合、好適な励起光の波長の範囲は、３００〜４００ｎｍ（より好ましくは、３２０〜３４０ｎｍ）であり、それにより発生する蛍光の波長の範囲は、３８０〜５００ｎｍ（より好ましくは、３８０〜４００ｎｍ）である。
【００６４】
異物Ｆがタイの内臓である場合、好適な励起光の波長の範囲は、３２０〜５００ｎｍ（より好ましくは、３６０〜３８０ｎｍ）であり、それにより発生する蛍光の波長の範囲は、４８０〜５８０ｎｍ（より好ましくは、５１０〜５３０ｎｍ）である。
【符号の説明】
【００６５】
１…光検査装置、２…筐体、３…搬送部、４…励起光照射部、５…検出部（蛍光検出部）、２１…台座部、２１ｃ…窓部、２１ｅ…上端、２１ｆ…外側面、２３…保護ケース、２４…本体部、２４ａ…開口部、２５…鍔部、２６，２６Ｅ…保護部、２６ａ…下端、２７…シール部材、２７Ａ…カラー部材、３１ａ…搬送面、３３…支持部、Ｂ…ボルト（締結部）、Ｆ…異物、Ｊ…接合部、Ｌ…内部領域、Ｒ…検査領域、Ｓ…被検査物。
【図１】
2019039695.tif 000003
【図２】
2019039695.tif 000004
【図３】
2019039695.tif 000005
【図４】
2019039695.tif 000006
【図５】
2019039695.tif 000007
【図６】
2019039695.tif 000008
【図７】
2019039695.tif 000009